(57)【要約】【課題】複数の基地局装置それぞれにおいて受信された複数の信号に基づいて処理を行う通信システムにおいて、トラヒックの増大を抑制する技術を提供する。【解決手段】品質スコア計算部３４は、端末装置から受信した信号の品質の程度を示す第１品質情報を計算する。通信部４２は、他の基地局装置１４が端末装置から受信した信号の品質の程度を示す第２品質情報を取得する。制御部４０は、計算した第１品質情報と、取得した第２品質情報とを比較し、どちらの品質が高いかを判定する。通信部４２、無線送信部４８は、第１品質情報の品質が高いと判定された場合に、端末装置から受信した信号を送信する。【選択図】図５
2019134264.tif 000002
【特許請求の範囲】
【請求項１】
端末装置から受信した信号の品質の程度を示す第１品質情報を計算する計算部と、
他の基地局装置が前記端末装置から受信した信号の品質の程度を示す第２品質情報を取得する取得部と、
前記計算部において計算した第１品質情報と、前記取得部において取得した第２品質情報とを比較し、どちらの品質が高いかを判定する判定部と、
前記判定部において第１品質情報の品質が高いと判定された場合に、前記端末装置から受信した信号を送信する送信部と、
を備えることを特徴とする基地局装置。
【請求項２】
前記端末装置から受信した信号と、当該信号を識別可能な第１識別情報とを記憶する記憶部をさらに備え、
前記計算部は、前記記憶部に記憶した信号に対して第１品質情報を計算し、
前記取得部は、他の基地局装置が前記端末装置から受信した信号を識別可能な第２識別情報も取得し、
前記判定部は、前記記憶部に記憶した第１識別情報と、前記取得部において取得した第２識別情報とが対応している場合に、第１品質情報と第２品質情報とを比較することを特徴とする請求項１に記載の基地局装置。
【請求項３】
前記記憶部に記憶した第１識別情報と、前記計算部において計算した第１品質情報とを他の基地局装置に通知する通知部をさらに備えることを特徴とする請求項２に記載の基地局装置。
【請求項４】
前記判定部は、前記取得部が複数の他の基地局装置それぞれから、複数の第２品質情報を取得した場合に、それら複数の第２品質情報の中の最も品質の高い品質情報と、第１品質情報とを比較することを特徴とする請求項１から３のいずれか１項に記載の基地局装置。
【請求項５】
前記判定部は、第１品質情報と第２品質情報とが同じ品質である場合に、自基地局装置を識別する識別子と、第２品質情報に対応する他の基地局装置を識別する識別子とを比較し、その比較結果に応じて、前記送信部に前記端末装置から受信した信号を送信させるか否かを決定することを特徴とする請求項１から４のいずれか１項に記載の基地局装置。
【請求項６】
前記計算部は、前記端末装置から信号を受信した際の受信信号強度、前記端末装置から信号を受信した際のエラーの程度、音声データに含まれるノイズのうちの少なくとも１つの情報をもとに、第１品質情報を計算することを特徴とする請求項１から５のいずれか１項に記載の基地局装置。
【請求項７】
複数の基地局装置のそれぞれから、各基地局装置を識別する識別子と、各基地局装置が端末装置から受信した信号の品質の程度を示す品質情報とを取得する取得部と、
前記取得部において取得した品質情報の中で、最も品質の高い品質情報を選択する選択部と、
前記選択部において選択した品質情報に対応する識別子をもつ基地局装置に対して、当該品質情報に対応する信号を送信するように指示を出力する出力部と、
を備えることを特徴とする制御装置。
【請求項８】
前記選択部は、最も品質の高い品質情報が複数存在することを検出した場合、それら複数の品質情報それぞれに対応する基地局装置の識別子を用いて、１つの品質情報を選択することを特徴とする請求項７に記載の制御装置。
【請求項９】
端末装置から受信した信号の品質の程度を示す第１品質情報を計算するステップと、
他の基地局装置が前記端末装置から受信した信号の品質の程度を示す第２品質情報を取得するステップと、
計算した第１品質情報と、取得した第２品質情報とを比較し、どちらの品質が高いかを判定するステップと、
第１品質情報の品質が高いと判定された場合に、前記端末装置から受信した信号を送信するステップとをコンピュータに実行させるためのプログラム。
【請求項１０】
複数の基地局装置それぞれから、各基地局装置を識別する識別子と、各基地局装置が端末装置から受信した信号の品質の程度を示す品質情報とを取得するステップと、
取得した品質情報の中で、最も品質の高い品質情報を選択するステップと、
選択した品質情報に対応する識別子をもつ基地局装置に対して、当該品質情報に対応する信号を送信するように指示を出力するステップとをコンピュータに実行させるためのプログラム。
【発明の詳細な説明】
【技術分野】
【０００１】
本発明は、通信技術に関し、特にデータを送信する基地局装置、制御装置、プログラムに関する。
【背景技術】
【０００２】
移動体通信システムにおける全ての基地局装置を共通の周波数で運用することがある。１つの端末装置から送信されたパケット信号を複数の基地局装置で受信した場合、各基地局装置の上位に接続された制御局は、複数の基地局装置から送られたパケット信号の中から品質の高いパケットを選択して、ネットワークに伝送する（例えば、特許文献１）。
【先行技術文献】
【特許文献】
【０００３】
【特許文献１】特開２００２−３３５５８２号公報
【発明の概要】
【発明が解決しようとする課題】
【０００４】
特許文献１に開示された技術では、移動局が送出したパケット信号が複数の基地局装置から制御局に送信されるため、これらのパケット信号によってネットワークのトラヒックが増大してしまうことがある。
【０００５】
本発明はこうした状況に鑑みてなされたものであり、その目的は、複数の基地局装置それぞれにおいて受信された複数の信号に基づいて処理を行う通信システムにおいて、トラヒックの増大を抑制する技術を提供することである。
【課題を解決するための手段】
【０００６】
上記課題を解決するために、本発明のある態様の基地局装置は、端末装置から受信した信号の品質の程度を示す第１品質情報を計算する計算部と、他の基地局装置が端末装置から受信した信号の品質の程度を示す第２品質情報を取得する取得部と、計算部において計算した第１品質情報と、取得部において取得した第２品質情報とを比較し、どちらの品質が高いかを判定する判定部と、判定部において第１品質情報の品質が高いと判定された場合に、端末装置から受信した信号を送信する送信部と、を備える。
【０００７】
本発明の別の態様は、制御装置である。この装置は、複数の基地局装置のそれぞれから、各基地局装置を識別する識別子と、各基地局装置が端末装置から受信した信号の品質の程度を示す品質情報とを取得する取得部と、取得部において取得した品質情報の中で、最も品質の高い品質情報を選択する選択部と、選択部において選択した品質情報に対応する識別子をもつ基地局装置に対して、当該品質情報に対応する信号を送信するように指示を出力する出力部と、を備える。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、複数の基地局装置それぞれにおいて受信された複数の信号に基づいて処理を行う通信システムにおいて、トラヒックの増大を抑制できる。
【図面の簡単な説明】
【００１０】
【図１】実施例１の比較対象となる通信システムの構成を示す図である。
【図２】図１の通信システムによる処理の概要を示す図である。
【図３】図１の通信システムによる送信処理の概要を示す図である。
【図４】実施例１に係る通信システムの構成を示す図である。
【図５】図４の基地局装置の構成を示す図である。
【図６】図５のＩＰアドレス設定部に記憶されるデータのデータ構造を示す図である。
【図７】図５の発呼情報受信バッファ部に記憶されるデータのデータ構造を示す図である。
【図８】図５の通信部から送信される品質スコアパケット信号のデータ構造を示す図である。
【図９】図４の通信システムによる品質スコアパケット信号の送受信を示す図である。
【図１０】図５の品質スコア受信バッファ部に記憶されるデータのデータ構造を示す図である。
【図１１】図５の基地局装置による処理手順を示すフローチャートである。
【図１２】図５の通信部から送信される発呼情報パケット信号のデータ構造を示す図である。
【図１３】図４の通信システムによる発呼情報パケット信号の送受信を示す図である。
【図１４】図５の発呼情報送信バッファ部に記憶されるデータのデータ構造を示す図である。
【図１５】実施例２の処理の必要性を説明するための図である。
【図１６】図１６（ａ）−（ｂ）は、品質スコアパケット信号の未達が発生した場合に、品質スコア受信バッファ部に記憶されるデータの一例を示す図である。
【図１７】実施例２に係る通信システムの構成を示す図である。
【図１８】図１７の制御装置の構成を示す図である。
【図１９】図１７の制御装置のＩＰアドレス設定部に記憶されるデータのデータ構造を示す図である。
【図２０】図１７の通信システムにおける制御装置への品質スコアパケット信号の送信を示す図である。
【図２１】図１７の制御装置による処理手順を示すフローチャートである。
【図２２】図１７の制御装置から送信される発呼情報配信指示パケット信号のデータ構造を示す図である。
【発明を実施するための形態】
【００１１】
（実施例１）
本発明の実施例は、基地局装置を介して互いに通信する複数の端末装置が含まれる通信システムに関する。本通信システムは、例えば、業務用無線システムに対応する。また、端末装置から基地局装置に向かう上りリンクの周波数（以下、「上り周波数」という）と、基地局装置から端末装置に向かう下りリンクの周波数（以下、「下り周波数」という）とは異なる。なお、上り周波数は、基地局装置における受信周波数に相当し、下り周波数は、基地局装置における送信周波数に相当する。一方、複数の基地局装置のそれぞれにおける上り周波数は同一であり、複数の基地局装置のそれぞれにおける下り周波数も同一である。以下では、１つの上り周波数と１つの下り周波数との組合せを「チャネル」ということもあるが、上り周波数または下り周波数の一方を「チャネル」ということもある。なお、周波数で規定される「チャネル」だけでなく、時分割多重や拡散符号などの技術を用いた「チャネル」を用いてもよい。また「チャネル」は、無線通信システムで使用される「無線リソース」であるといえる。以下では、本実施例に係る通信システムの比較対象となる通信システムを説明してから、本実施例に係る通信システムを説明する。
【００１２】
図１は、実施例１の比較対象となる通信システム２００の構成を示す。通信システム２００は、ＩＰネットワーク１１０、制御装置１１２、基地局装置１１４と総称される第１基地局装置１１４ａ、第２基地局装置１１４ｂ、第３基地局装置１１４ｃ、端末装置１１６と総称される第１端末装置１１６ａ、第２端末装置１１６ｂ、第３端末装置１１６ｃ、同期制御用基準装置１２０と総称される第１同期制御用基準装置１２０ａ、第２同期制御用基準装置１２０ｂ、第３同期制御用基準装置１２０ｃ、第４同期制御用基準装置１２０ｄを含む。ここで、通信システム２００に含まれる基地局装置１１４の数は「３」に限定されず、端末装置１１６の数は「３」に限定されず、それらより多くてもよく、それらよりも少なくてもよい。
【００１３】
複数の端末装置１１６、複数の基地局装置１１４は、前述のごとく、業務用無線システムに対応しており、使用可能な周波数の制限により基地局装置１１４と端末装置１１６間の通信は広域で単一周波数により運用される。この方式はサイマルキャストシステムとも呼ばれる。サイマルキャストシステムでは、複数の基地局装置１１４をまたいでサイマルキャスト通信が実行される。つまり、制御装置１１２は、各基地局装置１１４を制御するとともに、１つの基地局装置１１４が端末装置１１６からの発呼情報（送信情報）を受信した場合に、複数の基地局装置１１４に、受信した発呼情報を転送する。
【００１４】
各端末装置１１６は、１つ以上の基地局装置１１４を介して、音声通信を実行する。各端末装置１１６はＰＴＴ（Ｐｕｓｈ  Ｔｏ  Ｔａｌｋ）ボタンを備え、ＰＴＴボタンが押し下げられた端末装置１１６はユーザの音声が含まれた発呼情報を基地局装置１１４に送信する。複数の基地局装置１１４は、端末装置１１６からの発呼情報を受信すると、発呼情報をＩＰパケット化することによってパケット信号を生成し、パケット信号をＩＰネットワーク１１０を介して制御装置１１２に送信する。すなわち、端末装置１１６が音声通信を実行する場合には、パケット信号にデータ容量が大きい音声データが含まれる。その際、複数の基地局装置１１４は、発呼情報の品質として、受信信号強度（ＲＳＳＩ：Ｒｅｃｅｉｖｅｄ  Ｓｉｇｎａｌ  Ｓｔｒｅｎｇｔｈ  Ｉｎｄｉｃａｔｏｒ）、発呼情報のエラー率などを測定し、受信した発呼情報の品質に関する情報（以下、「品質情報」という）もパケット信号に含める。
【００１５】
制御装置１１２は、複数の基地局装置１１４からのパケット信号を受信し、各パケット信号に含まれた品質情報をもとに、最高の品質情報を含んだパケット信号の発呼情報を選択する。また、制御装置１１２は、選択した発呼情報を複数の基地局装置１１４のそれぞれが送信すべき時刻に関する情報（以下、「送信時刻」という）を生成する。さらに、制御装置１１２は、送信時刻と発呼情報とが含まれたパケット信号を、ＩＰネットワーク１１０を介して複数の基地局装置１１４に送信する。ここで、制御装置１１２には、第４同期制御用基準装置１２０ｄが接続されており、第４同期制御用基準装置１２０ｄは、例えば、高精度ＮＴＰ（Ｎｅｔｗｏｒｋ  Ｔｉｍｅ  Ｐｒｏｔｏｃｏｌ）サーバ、ＧＰＳ（Ｇｌｏｂａｌ  Ｐｏｓｉｔｉｏｎｉｎｇ  Ｓｙｓｔｅｍ）受信装置である。第４同期制御用基準装置１２０ｄは、基準となる時刻（以下、「基準時刻」という）を生成し、制御装置１１２は、基準時刻をもとに送信時刻を生成する。
【００１６】
複数の基地局装置１１４は、パケット信号を受信すると、パケット信号から送信時刻と発呼情報とを抽出する。各基地局装置１１４にも同期制御用基準装置１２０が接続されており、基地局装置１１４は、同期制御用基準装置１２０から取得した基準時刻が送信時刻を経過した場合に、発呼情報を送信する。ここで、第１同期制御用基準装置１２０ａから第４同期制御用基準装置１２０ｄは、同期されているので、第１基地局装置１１４ａから第３基地局装置１１４ｃは、発呼情報を同一のタイミングで送信する。そのため、通信システム２００は、サイマルキャストシステムであるといえる。端末装置１１６は、基地局装置１１４からの発呼情報を受信して、音声を再生する。１つの端末装置１１６を使用するユーザの発話が続く限り、このような処理は定期的に繰り返して続けられる。
【００１７】
図２は、実施例１の比較対象となる通信システム２００による処理の概要を示す。第１基地局装置１１４ａから第３基地局装置１１４ｃまでの各基地局装置１１４が、ＩＰネットワーク１１０経由で制御装置１１２に送信するパケット信号には、発呼情報と、基地局装置１１４が端末装置１１６から発呼情報を受信した発呼情報受信時刻とが含まれる。制御装置１１２は各基地局装置１１４から受信したパケット信号をバッファに保存する。制御装置１１２は、複数のパケット信号内の発呼情報受信時刻の差が一定以内（例えば数ミリｓｅｃ）である場合に、それらのパケット信号のそれぞれに、同一の発呼情報が含まれていると判定する。制御装置１１２は、同一の発呼情報であると判定された複数の発呼情報のうち、最も品質の高い発呼情報を選択する。
【００１８】
制御装置１１２は、選択した発呼情報と、送信時刻とが含まれたパケット信号を生成し、パケット信号をＩＰネットワーク１１０経由で第１基地局装置１１４ａから第３基地局装置１１４ｃに送信する。この送信時刻は、全ての基地局装置１１４において送信タイミングを一致させる目的で設定されるので、全ての基地局装置１１４に対して同じ値とされる。また、送信時刻は、ＩＰネットワーク１１０の遅延時間を考慮した値とされる。
【００１９】
図３は、実施例１の比較対象となる通信システム２００による送信処理の概要を示す。制御装置１１２は、パケット信号Ｎからパケット信号Ｎ＋５を一定間隔で基地局装置１１４に送信する。基地局装置１１４は、各バッファに格納した後、パケット信号に含まれた送信時刻を抽出するとともに、同期制御用基準装置１２０から得られる基準時刻が送信時刻を超えた場合に、発呼情報を送信する。そのため、パケット信号Ｎからパケット信号Ｎ＋５のそれぞれに含まれた発呼情報Ｎから発呼情報Ｎ＋５が一定間隔で送信される。これにより、制御装置１１２から各基地局装置１１４へパケット信号を送信した後、各基地局装置１１４が同時に発呼情報を送信する。
【００２０】
図１から図３を使用して説明した比較対象となる通信システム２００では、複数の基地局装置１１４で受信された発呼情報が制御装置１１２へ送信され、制御装置１１２は複数の基地局装置１１４からの発呼情報を集計、評価した後に複数の基地局装置１１４へ配信する。そのため、通信システム２００には少なくとも１つの制御装置１１２が必要となり、通信システム２００全体のコストが上がってしまう。また、発呼情報をＩＰパケット化し複数の基地局装置１１４および制御装置１１２で送信、受信を行うので、ＩＰパケットはデータ量の多い音声データ等を含むことになり、ＩＰネットワーク１１０の負荷が増大してしまう。さらに、ＩＰネットワーク１１０の設置状態（ベストエフォート/ギャランティ等）やトラヒックの使用状況、またはＩＰネットワーク１１０自体の回線速度（帯域幅）が低い場合、発呼情報のパケット信号が正常に送信、受信できなくなるおそれがある。
【００２１】
本実施例では、通信システムにおいて、制御装置１１２を必要とせず、またＩＰネットワーク１１０の回線速度が低い場合あるいはトラヒックが多い場合でも通信システムを運用可能となる手段を設ける。端末装置からの発呼情報を複数の基地局装置が受信した際に、各基地局装置は、発呼情報の品質評価を実行して、品質スコアとして定量的に数値化する。また、各基地局装置は、発呼情報と比べてデータ量の少ない品質スコアを先行してマルチキャスト配信する。さらに、各基地局装置は、受信した品質スコアを集計した後、最も品質スコアが優れている基地局装置のみが発呼情報（音声データ等）をマルチキャスト配信する。
【００２２】
図４は、通信システム１００の構成を示す。通信システム１００は、ＩＰネットワーク１０、基地局装置１４と総称される第１基地局装置１４ａ、第２基地局装置１４ｂ、第３基地局装置１４ｃ、第４基地局装置１４ｄ、端末装置１６と総称される第１端末装置１６ａ、第２端末装置１６ｂ、第３端末装置１６ｃ、第４端末装置１６ｄ、同期制御用基準装置２０と総称される第１同期制御用基準装置２０ａ、第２同期制御用基準装置２０ｂ、第３同期制御用基準装置２０ｃ、第４同期制御用基準装置２０ｄを含む。ここで、通信システム１００に含まれる基地局装置１４、端末装置１６、同期制御用基準装置２０の数は「４」に限定されず、それより多くてもよく、それよりも少なくてもよい。
【００２３】
ＩＰネットワーク１０は図１のＩＰネットワーク１１０と同一である。本実施例ではＩＰ（Ｉｎｔｅｒｎｅｔ  Ｐｒｏｔｏｃｏｌ）を使用するネットワークを例に説明するが、他のプロトコルを使うネットワークを用いてもよい。端末装置１６は図１の端末装置１１６と同一であり、同期制御用基準装置２０は図１の同期制御用基準装置１２０と同一であり、そのためこれらについては説明を省略する。また、基地局装置１４は図１の基地局装置１１４に対応する。通信システム１００は、通信システム２００と同様にサイマルキャストシステムであるといえる。通信システム１００は、複数の基地局装置１４それぞれにおいて受信された複数の信号に基づいて処理を行う通信システムであるといえる。また、通信システム１００は、複数の基地局装置１４それぞれにおいて受信された複数の信号の品質を比較する通信システムであるともいえる。
【００２４】
図５は、基地局装置１４の構成を示す。基地局装置１４は、無線受信部３０、発呼情報受信バッファ部３２、品質スコア計算部３４、ＩＰアドレス設定部３６、検出部３８、制御部４０、通信部４２、品質スコア受信バッファ部４４、発呼情報送信バッファ部４６、無線送信部４８を含む。
【００２５】
検出部３８は、図４の同期制御用基準装置２０に接続され、同期制御用基準装置２０から基準時刻を順次取得する。ＩＰアドレス設定部３６には、基地局装置ＩＰアドレス、サブネットマスク、ゲートウェイアドレス、品質スコアパケット信号（詳細は後述）と発呼情報パケット信号（詳細は後述）の送信、受信を行うためのマルチキャストアドレスとポート番号が設定される。図６は、ＩＰアドレス設定部３６に記憶されるデータのデータ構造を示す。基地局装置ＩＰアドレスには基地局装置１４毎に異なるＩＰアドレスが設定され、品質スコアパケット信号と発呼情報パケット信号の送信、受信を行うためのマルチキャストアドレスとポート番号は、システム間で共通のアドレス、ポート番号が設定される。また、ＩＰアドレス設定部３６に記載されている内容は基地局装置１４起動時に通信部４２に設定される。図５に戻る。
【００２６】
ここでは処理の時系列にしたがって、（１）受信処理、（２）比較処理、（３）無線送信処理の順に説明する。
（１）受信処理
これは、基地局装置１４が端末装置１６から発呼情報を受信した際の処理である。無線受信部３０は、業務用無線システムに対応した受信処理を実行することによって、端末装置１６からの信号を受信する。ここで、無線受信部３０は、１つの端末装置１６からの発呼情報を受信すると、検出部３８から基準時刻を発呼情報受信時刻として取得する。発呼情報には音声情報が含まれる。無線受信部３０は、発呼情報に発呼情報受信時刻を付加し、一定間隔毎に発呼情報受信バッファ部３２に追記する。追記される間隔は、例えば、１００ｍｓｅｃである。
【００２７】
図７は、発呼情報受信バッファ部３２に記憶されるデータのデータ構造を示す。発呼情報受信時刻は、端末装置１６からの発呼情報を受信した時刻を示し、データ領域は、端末装置１６からの発呼情報を発呼情報データとして含む。つまり、発呼情報受信バッファ部３２は、端末装置１６から受信した発呼情報と、発呼情報を識別可能な発呼情報受信時刻とを記憶する。この発呼情報受信時刻は第１識別情報とも呼ばれる。発呼情報受信バッファ部３２は一定数（例として５）の発呼情報データを格納可能であり、バッファ数が上限に達している状態で新たに発呼情報データを追記する場合に、発呼情報受信時刻が古い発呼情報データを順に削除する。図７において、発呼情報受信時刻が「１０：１０：３２：５０２」の発呼情報データが新たに追記された場合、発呼情報受信時刻が「１０：１０：３２：００２」であるＮｏ．０１の発呼情報データが削除される。なお、「１０：１０：３２：５０２」は、「１０時１０分３２秒５０２ミリ秒」を表す。すなわち、本実施例における発呼情報受信時刻は、ミリ秒単位の時間精度で記録されたデータである。図５に戻る。
【００２８】
発呼情報受信バッファ部３２に発呼情報データが追記された際、発呼情報受信バッファ部３２は、追記された発呼情報データについての品質スコアの計算を品質スコア計算部３４に指示する。品質スコア計算部３４は、計算部とも呼ばれ、指示された発呼情報データの品質スコアを計算（導出）する。つまり、品質スコア計算部３４は、端末装置１６から受信し、かつ発呼情報受信バッファ部３２に記憶された発呼情報の品質の程度を示す品質スコアを計算する。このような自基地局装置１４が端末装置１６から受信した発呼情報に関する品質スコアは、第１品質情報とも呼ばれる。発呼情報データの品質スコアを計算する方法として、以下の方法を用いることができる。
【００２９】
（Ａ）第１の方法は、ＲＳＳＩを用いる方法である。この場合、発呼情報データには、無線受信部３０で端末装置１６からの発呼情報を受信した際のＲＳＳＩ値を記録しておく。品質スコア計算部３４は、品質スコアとしてＲＳＳＩ値を設定する。この方法の場合、品質スコアの値が大きい程、高品質な発呼情報と判断可能である。なお、ＲＳＳＩ値そのものを品質スコアにしてもよいが、ＲＳＳＩ値を「大」、「中」、「小」などの所定のカテゴリに対応させ、そのカテゴリに対応する数値（「大」＝３、「中」＝２、「小」＝１など）を品質スコアにしてもよい。
【００３０】
（Ｂ）第２の方法は、エラーに関する情報を用いる方法である。この場合、発呼情報データには、無線受信部３０で端末装置１６からの発呼情報を受信した際の無線通信で発生したエラーの多さ（エラー数、エラー率など）を示す数値、またはエラー訂正処理によって訂正されたエラーの多さ（エラー数、エラー率など）を示す数値が示される。品質スコア計算部３４は、品質スコアとしてエラーの程度を示す数値を設定する。この方法の場合、品質スコアの値が小さい程、高品質な発呼情報と判断可能である。また、エラーの量を「多い」、「中程度」、「少ない」等の所定のカテゴリに変換し、カテゴリに対応する数値を品質スコアにしてもよい。
【００３１】
（Ｃ）第３の方法は、発呼情報データを用いる方法である。品質スコア計算部３４は、発呼情報データを信号解析し、音声以外のノイズ成分を検出する。例えば、音声に特有な帯域以外の周波数成分や、時間的な振幅変化が所定値以上の成分をノイズ成分として集計し品質スコアとして設定する。この方法の場合、品質スコアの値が小さい程、高品質な発呼情報と判断可能である。なお、品質スコア計算部３４は、音声成分とノイズ成分を両方算出し、それらの比であるＳＮ比を算出し、品質スコアとして設定してもよい。この方法の場合、品質スコアの値が大きい程、高品質な発呼情報と判断可能である。また、パケット信号に画像データや映像データが含まれる場合には、画像データ（映像データ）のノイズ成分を検出し、品質スコアに反映させてもよい。また、音声データのノイズと映像データのノイズを両方検出し、それらを品質スコアに反映させてもよい。
【００３２】
また、品質スコア計算部３４は、第１の方法から第３の方法を組み合わせて、品質スコアを設定してもよい。例えば、ＲＳＳＩ値をＲ、エラーの程度を示す数値をＥ、ノイズ成分を示す数値をＮとして、式（１）に示す演算により総合的なスコアＳを算出する。ここで、α、β、γは重み係数であり、α＞０、β＜０、γ＜０である。品質スコア計算部３４は、総合スコアＳを品質スコアとして設定する。
Ｓ＝αＲ+βＥ+γＮ 式（１）
この方法の場合、品質スコアの値が大きい程、高品質な発呼情報と判断可能である。
【００３３】
品質スコア計算部３４は、品質スコアを計算後、発呼情報データの発呼情報受信時刻と品質スコアを通信部４２へ出力する。通信部４２は、受けつけた発呼情報受信時刻と品質スコアを品質スコアパケット信号としてパケット化する。図８は、通信部４２から送信される品質スコアパケット信号のデータ構造を示す。品質スコアパケット信号には、発呼情報受信時刻と品質スコアが含まれる。図５に戻る。通信部４２は、品質スコアパケット信号の宛先として、ＩＰアドレス設定部３６に記述されている品質スコアパケット送受信用マルチキャストアドレスを設定してから品質スコアパケット信号を送信する。このような通信部４２は通知部ともいえ、通信部４２は、発呼情報受信時刻と品質スコアとを他の基地局装置１４にマルチキャスト通信により通知を行う。図９は、通信システム１００による品質スコアパケット信号の送受信を示す。第１基地局装置１４ａ、第２基地局装置１４ｂ、第３基地局装置１４ｃ、第４基地局装置１４ｄが端末装置１６から発呼情報を受信し、品質スコアパケット信号をマルチキャスト配信する。図５に戻る。
【００３４】
（２）比較処理
これは、各基地局装置１４が品質スコアパケット送受信用マルチキャストアドレスにて品質スコアパケット信号を受信した際の処理である。通信部４２は、品質スコアパケット送受信用マルチキャストアドレスにて品質スコアパケット信号を受信する。通信部４２は、取得部であるともいえ、他の基地局装置１４が端末装置１６から受信した発呼情報の品質の程度を示す品質スコアを取得するとともに、他の基地局装置１４が端末装置１６から発呼情報を受信した発呼情報受信時刻も取得する。他の基地局装置１４が端末装置１６から受信した発呼情報に関する品質スコアは第２品質情報とも呼ばれ、発呼情報受信時刻は第２識別情報と呼ばれることもある。
【００３５】
品質スコア受信バッファ部４４は、通信部４２において受信された品質スコアパケット信号を記憶する。図１０は、品質スコア受信バッファ部４４に記憶されるデータのデータ構造を示す。パケット受信時刻には他の基地局装置１４から送信された品質スコアパケット信号を受信した時刻、送信元基地局装置アドレスには品質スコアパケット信号の送信を行った基地局装置１４のＩＰアドレスが記憶される。また、発呼情報受信時刻および品質スコアには受信した品質スコアパケット信号の内容がそのまま記録される。本実施例において、パケット受信時刻と発呼情報受信時刻は共に、ミリ秒単位までの時間精度で記録されたデータである。なお、品質スコアパケット信号はマルチキャスト配信されるので、自身が配信した品質スコアパケット信号も通信部４２にて受信され、品質スコア受信バッファ部４４へ保存されるものとする。図５に戻る。
【００３６】
以下では、基地局装置１４、特に制御部４０の処理を図１０と図１１とを使用して説明する。なお、このような制御部４０は判定部とも呼ばれる。図１１は、基地局装置１４による処理手順を示すフローチャートである。制御部４０は品質スコア受信バッファ部４４へ追記された品質スコアの発呼情報受信時刻を確認する（Ｓ１００）。次に、制御部４０は、新規の発呼情報の品質スコアパケット信号が存在するか否かを判定する（Ｓ１１０）。新規の発呼情報の品質スコアパケット信号が存在する場合（Ｓ１１０：Ｙｅｓ）は、Ｓ１２０に進み、存在しない場合（Ｓ１１０：Ｎｏ）は、Ｓ１００に戻って処理を繰り返す。
【００３７】
なお、新規の発呼情報であるか否かは、品質スコアパケット信号の発呼情報受信時刻により判定される。図１０の例の場合、Ｎｏ．０４の品質スコアパケット信号の発呼情報受信時刻は「１０：１０：３２：００３」であり、Ｎｏ．０５の品質スコアパケット信号の発呼情報受信時刻は「１０：１０：３２：１０３」と１００ミリｓｅｃの間隔がある。そのため、過去にＮｏ．０４までの処理を行っていた場合、制御部４０は、Ｎｏ．０５から新規の発呼情報であると判定する。すなわち、ある品質スコアパケット信号の発呼情報受信時刻が、過去に処理を行った品質スコアパケット信号の発呼情報受信時刻の最も新しい時刻から第１の所定時間（例えば、１０ミリｓｅｃ）以上経過している場合、当該品質スコアパケット信号は、新規の発呼情報に対応すると判定される。以下の説明において、新規の発呼情報に対応し、最初に受信した品質スコアパケット信号を「第１順位の品質スコアパケット信号」、「第１順位のパケット信号」などと称する。
【００３８】
Ｓ１２０において、制御部４０は、第１順位のパケット信号（図１０の例の場合、Ｎｏ．０５の品質スコアパケット信号）のパケット受信時刻を始点としたタイマＴを動作させる。すなわち、新規の発呼情報についての品質スコアパケット信号であると判定した場合、制御部４０は、その品質スコアパケット信号の受信時刻を始点としてタイマＴを動作させる。タイマＴの終了時刻はＩＰネットワーク１０の回線速度等により設定され、本実施例では、例えば５０ミリｓｅｃとする。Ｓ１３０において、制御部４０はタイマＴがタイムアウトしていない場合（Ｓ１３０：Ｎｏ）は、タイムアウトまで待機する。タイムアウト後（Ｓ１３０：Ｙｅｓ）、Ｓ１４０に進む。
【００３９】
Ｓ１４０において、制御部４０はタイマＴ稼働中に品質スコア受信バッファ部４４へ追記された品質スコアパケット信号内から、同一発呼情報の品質スコアパケット信号を検索する。その後Ｓ１５０に進む。同一発呼情報であることは、第１順位のパケット信号の発呼情報受信時刻と比較対象のパケット信号の発呼情報受信時刻との差が、第１の所定時間未満であるという条件で判定される。図１０の例では、Ｎｏ．０５のＩＰアドレス「１７２．１６．０．１」の基地局装置１４からＮｏ．０８のＩＰアドレス「１７２．１６．０．３」の基地局装置１４からのパケット信号を受信した状態となる。例えば、第１の所定時間を１０ミリｓｅｃとすると、Ｎｏ．０６、Ｎｏ．０７、Ｎｏ．０８の品質スコアパケット信号の発呼情報受信時刻はそれぞれ「１０：１０：３２：１０２」「１０：１０：３２：１０３」「１０：１０：３２：１０２」である。これらと、Ｎｏ．０５の品質スコアパケット信号の発呼情報受信時刻「１０：１０：３２：１０３」との差が全て１０ミリｓｅｃ未満であるので、制御部４０は、Ｎｏ．０５〜Ｎｏ．０８を全て同一の発呼情報についての品質スコアであると判定する。
【００４０】
Ｓ１５０において、制御部４０はＳ１４０で検索された品質スコアパケット信号の中から、自基地局装置１４が端末装置１６から受信した発呼情報に対応する品質スコアを取得する。すなわち、第１品質情報を取得する。具体的には、ＩＰアドレス設定部３６に設定されている基地局装置ＩＰアドレスと一致する送信元基地局アドレスをもつ品質スコアパケット信号を特定し、その品質スコアを取得すればよい。例えば、自基地局装置１４のＩＰアドレスが「１７２．１６．０．３」である場合、図１０の例では、Ｎｏ．０５〜Ｎｏ．０８の品質スコアパケット信号の中で、Ｎｏ．０８のＩＰアドレスが「１７２．１６．０．３」であるので、Ｎｏ．０８の品質スコア「９１」を取得する。
【００４１】
次にＳ１６０において、制御部４０は、Ｓ１４０で検索された品質スコアパケット信号の中から、他の基地局装置１４が端末装置１６から受信した発呼情報に対応する品質スコアを取得する。すなわち、第２品質情報を取得する。具体的には、Ｓ１４０で検索された品質スコアパケット信号の中から、Ｓ１５０で特定した品質スコアパケット以外のパケットを特定し、特定したパケットの品質スコアを全て取得する。図１０の例では、Ｎｏ．０５、Ｎｏ．０６、Ｎｏ．０７の品質スコアパケット信号が該当し、それらの品質スコア「６５」、「６１」、「７６」を取得する。
【００４２】
次にＳ１７０において、制御部４０は、Ｓ１６０において取得した品質スコアの中で最も高い値を特定する。すなわち、最も高い値をもつ第２品質情報を特定する。上述の例では、「６５」、「６１」、「７６」のうちの最も高い値（最大値）は「７６」となる。Ｓ１６０において取得した品質スコアが１個の場合は、Ｓ１７０の処理を省略することができる。なお、最も高い値をもつ第２品質情報が複数存在する場合は、それらに対応する基地局装置１４のＩＰアドレスの中から、所定条件（第１の所定条件）を満たすＩＰアドレスを１つ選択し、制御部４０の内部のメモリに保存する。本実施例においては、この所定条件として、最も番号が小さいＩＰアドレスという条件を用いる。例えば、Ｓ１６０において取得した品質スコアが３つ存在し、それらが全て同じ値（例えば「８０」）である場合、３つの基地局装置１４の中から、最も番号が小さいＩＰアドレスをもつ基地局装置１４を選択する。仮に３つのＩＰアドレスが、「１７２．１６．０．１」、「１７２．１６．０．２」、「１７２．１６．０．４」であるとすると、「１７２．１６．０．１」が選択される。
【００４３】
次にＳ１８０において、制御部４０は、Ｓ１５０で取得した第１品質情報と、Ｓ１７０で特定した最も高い第２品質情報とを比較し、第１品質情報の方が高い（大きい）か否かを判定する。上述の例では、第１品質情報は「９１」、最も高い第２品質情報は「７６」となるため、第１品質情報の方が高いという判定が得られる。制御部制御部第１品質情報の方が高い場合（Ｓ１８０：Ｙｅｓ）は、Ｓ２１０に進む。第１品質情報の方が高くない場合（Ｓ１８０：Ｎｏ）、すなわち、第１品質情報の値が第２品質情報の値以下である場合は、Ｓ１９０に進む。
【００４４】
Ｓ１９０において、制御部４０は、第１品質情報の値と最も高い第２品質情報の値が同じか否かを判定する。両者の値が同じである場合（Ｓ１９０：Ｙｅｓ）は、Ｓ２００に進む。両者の値が異なる場合（Ｓ１９０：Ｎｏ）、すなわち、第１品質情報の値が最も高い第２品質情報の値よりも低い（小さい）場合は、Ｓ２３０に進む。
【００４５】
Ｓ２００において、制御部４０は、自基地局装置１４のＩＰアドレス（第１のＩＰアドレス）と、最も高い第２品質情報に対応する他の基地局装置１４のＩＰアドレス（第２のＩＰアドレス）とを比較し、比較対象の２つのＩＰアドレスが所定条件（第２の所定条件）を満たすか否かを判定する。この所定条件として、本実施例では、第１のＩＰアドレスが第２のＩＰアドレスよりも小さい番号（若い番号）であるといった条件を用いる。後述するように、この処理は、第１品質情報と第２品質情報が同じ場合に、基地局装置１４を識別する情報に基づいて、１つの基地局装置１４を選択する処理に相当する。ここでＩＰアドレスは、基地局装置１４を識別する情報（識別子）といえる。なお、Ｓ１７０において、制御部４０の内部のメモリにＩＰアドレスを保存した場合は、そのＩＰアドレスを第２のＩＰアドレスとする。比較対象の２つのＩＰアドレスが所定条件を満たす場合（Ｓ２００：Ｙｅｓ）は、Ｓ２１０に進む。比較対象の２つのＩＰアドレスが所定条件を満たさない場合（Ｓ２００：Ｎｏ）は、Ｓ２３０に進む。
【００４６】
Ｓ２１０において、制御部４０はＳ１５０で取得した第１品質情報に対応する発呼情報データを発呼情報受信バッファ部３２から取得する。具体的には、第１品質情報の発呼情報受信時刻と同一の発呼情報受信時刻が記録されている発呼情報データを発呼情報受信バッファ部３２から取得する。その後Ｓ２２０に進む。図１０の例では、第１品質情報は、Ｎｏ．０８の品質スコアパケット信号であり、その発呼情報受信時刻は「１０：１０：３２：１０２」となっている。ＩＰアドレス「１７２．１６．０．３」に設定されている基地局装置１４の発呼情報受信バッファ部３２に、図７に示すデータが格納されている場合、発呼情報受信時刻が「１０：１０：３２：１０２」であるＮｏ．０２の発呼情報データが特定される。
【００４７】
Ｓ２２０において、制御部４０はＳ２１０で取得された発呼情報データと、送信時刻とを通信部４２へ通知する。送信時刻は、パケット信号の発呼情報受信時刻から第２の所定時間が経過した時刻に設定する。この第２の所定時間は、ＩＰネットワーク１０の回線速度等により調整される。例えば、通知されたパケット信号の発呼情報受信時刻の１００ミリｓｅｃ後の時刻が送信時刻に設定される。
【００４８】
通信部４２は通知された送信時刻と発呼情報データを発呼情報パケット信号としてパケット化し、ＩＰネットワーク１０を介して、他の基地局装置１４に送信する。図１２は、通信部４２から送信される発呼情報パケット信号のデータ構造を示す。図示のごとく、送信時刻と発呼情報データとが含まれる。図５の通信部４２は、ＩＰアドレス設定部３６に記述されている発呼情報パケット送受信用マルチキャストアドレスへ発呼情報パケット信号を送信する。つまり、送信部でもある通信部４２は、制御部４０において第１品質情報の品質が高いと判定された場合に、端末装置１６から受信した発呼情報が含まれた発呼情報パケット信号を送信する。
【００４９】
図１３は、通信システム１００による発呼情報パケット信号の送受信を示す。ここでは、ＩＰアドレスが「１７２．１６．０．３」に設定されている第３基地局装置１４ｃが発呼情報パケット送受信用マルチキャストアドレスへ発呼情報パケット信号を送信している。図１１に戻る。Ｓ２２０からＳ２３０に進む。Ｓ２３０において、制御部４０は品質スコア受信バッファ部４４に記録されている品質スコアパケット信号のうち、受信してから一定期間（例えば１分以上）が経過したパケット信号については削除する。削除対象の期間については、基地局装置１４内のバッファサイズ等により適切な期間へ変更してもよい。Ｓ２３０からはＳ１００に戻り、処理を繰り返す。
【００５０】
上述したように、Ｓ１７０において、最も高い値をもつ第２品質情報が複数存在する場合は、それらに対応する複数の基地局装置１４のＩＰアドレスの中から第１の所定条件を満たすＩＰアドレスを選択し、Ｓ２００において、２つのＩＰアドレスが第２の所定条件を満たすか否かを判定している。本実施例では、第１の所定条件として、最も小さい番号のＩＰアドレスという条件を用い、第２の所定条件として、第１のＩＰアドレスが第２のＩＰアドレスよりも小さい番号であるという条件を用いている。このような処理を行うことにより、第１の品質情報と第２の品質情報が同じ値になる場合であっても、Ｓ２２０において、発呼情報パケット信号を送信する基地局装置１４を１つに限定することができ、複数の基地局装置１４から発呼情報パケット信号が送信されることを防止することができる。仮に、自基地局装置１４および複数の他の基地局装置１４の品質スコアが全て同じ値になったとしても、発呼情報パケット信号を送信する基地局装置１４を１つに限定することができる。このため、ネットワークのトラヒックを無駄に増やすことなく、効率的に通信システムを動作させることができる。
【００５１】
なお、上述した第１の所定条件および第２の所定条件とは異なる条件を用いてもよい。例えば、第１の所定条件として、最も大きな番号のＩＰアドレスという条件を用い、第２の所定条件として、第１のＩＰアドレスが第２のＩＰアドレスよりも大きい番号であるという条件を用いてもよい。また、ＩＰアドレス以外のネットワークアドレスを用いて同様の処理を行ってもよい。すなわち、第１品質情報と第２品質情報が同じ値の場合に、基地局装置１４のネットワークアドレスに基づいて、自基地局装置１４が発呼情報パケット信号を送信するか否かを決定してもよい。このような処理をすることにより、第１品質情報の値と、最も高い第２品質情報の値が同じになった場合においても、１つの基地局装置１４からのみ発呼情報が送信される。さらに、ネットワークアドレス以外の情報を用いて、同様の処理を行ってもよい。例えば、基地局装置１４を一意に識別可能な識別情報（識別子）があれば、それを用いて発呼情報パケット信号を送信する基地局装置１４を１つ選択してもよい。例えば、基地局装置１４のシリアル番号等を用いてもよい。基地局装置１４のＩＰアドレスやネットワークアドレスは、識別子のうちの１つであるともいえる。図５に戻る。
【００５２】
（３）無線送信処理
これは、各基地局装置１４が発呼情報パケット送受信用マルチキャストアドレスにて発呼情報パケット信号を受信した際の処理である。通信部４２は、発呼情報パケット送受信用マルチキャストアドレスにて受信した発呼情報パケット信号を発呼情報送信バッファ部４６に保存する。図１４は、発呼情報送信バッファ部４６に記憶されるデータのデータ構造を示す。送信時刻、データ領域には、発呼情報パケット信号の内容がそのまま記録される。なお、発呼情報パケット信号はマルチキャスト配信されるので、自身が配信した発呼情報パケット信号も通信部４２にて受信され、発呼情報送信バッファ部４６へ保存されてもよい。図５に戻る。
【００５３】
制御部４０は、発呼情報送信バッファ部４６内の発呼情報パケット信号の送信時刻を監視し、基準時刻が送信時刻を超えた発呼情報パケット信号が存在するかを確認する。基準時刻が送信時刻を超えた発呼情報パケット信号が存在する場合、制御部４０は、無線送信部４８へ発呼情報パケット信号の発呼情報の送信を指示する。その後、制御部４０は発呼情報送信バッファ部４６から送信した発呼情報パケット信号を削除する。
【００５４】
上述の基地局装置１４は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ハードウエアとソフトウエアの組合せによっていろいろな形で実現できることは、当業者には理解されるところである。また、複数のコンピュータを用いて、分散処理を行うプログラムとしても実現可能である。例えば、複数のコンピュータに、それぞれ異なる機能の処理を実行させ、複数のコンピュータで基地局装置１４の機能を実現するように構成してもよい。
【００５５】
本実施例によれば、計算した品質スコアと、他の基地局装置から取得した品質スコアを比較し、計算した品質スコアの品質が高いと判定された場合に発呼情報パケット信号を送信するので、１台の基地局装置のみから発呼情報パケット信号を送信させることができる。また、１台の基地局装置のみから発呼情報パケット信号が送信されるので、ＩＰネットワーク上で送信、受信されるデータ量の多い発呼情報パケット信号の数を削減できる。また、発呼情報パケット信号の数が削減されるので、ＩＰネットワークのトラヒックの増大を抑制できる。すなわち、複数の基地局装置それぞれにおいて受信された複数の信号に基づいて処理を行う通信システムにおいて、ネットワークのトラヒックの増大を抑制できる。また、ＩＰネットワークのトラヒックの増大が抑制されるので、ＩＰネットワークの通信品質が高くなくても比較的安定した状態でシステムを運用できる。また、ＩＰネットワークのトラヒックの増大が抑制されるので、ＩＰネットワークの回線速度が低い場合でも通信システムを運用できる。また、制御装置の設置が不要になるので、通信システムを構築する際のコストを低減できる。
【００５６】
また、発呼情報受信時刻をもとに、計算した品質スコアと、取得した品質スコアとを比較するので、端末装置から送信された同一の発呼情報を特定できる。また、発呼情報受信時刻と品質スコアとを他の基地局装置に通知するので、発呼情報受信時刻と品質スコアとを他の基地局装置において使用させることができる。また、発呼情報受信時刻と品質スコアとを他の基地局装置にマルチキャスト通信により通知するので、処理を効率的に実行できる。また、取得した複数の発呼情報受信時刻のうち、記憶した発呼情報受信時刻との差が所定の範囲にある受信時刻を特定するので、処理を簡易にできる。また、品質スコアとして、受信信号強度、エラーの程度、ノイズのうちの少なくとも１つを使用するので、品質の高低を適切に数値化できる。
【００５７】
（実施例２）
次に、実施例２を説明する。実施例２は、実施例１と同様に、基地局装置を介して互いに通信する複数の端末装置が含まれる通信システムに関する。実施例２の構成は実施例１の構成と異なる。
【００５８】
図１５は、実施例２の処理の必要性を説明するための図である。実施例１では、品質スコアパケット信号が各基地局装置１４においてマルチキャスト方式にて配信、受信されている。マルチキャスト方式の場合、トランスポートプロトコルにはＵＤＰ（Ｕｓｅｒ  Ｄａｔａｇｒａｍ  Ｐｒｏｔｏｃｏｌ）が一般的に使用される。ＵＤＰはコネクションレスプロトコルであるので、基地局装置１４からマルチキャスト配信された品質スコアパケット信号が通信システム１００内の全ての基地局装置１４で正常に受信されることを保証しない。
【００５９】
図１５では、第１基地局装置１４ａ、第２基地局装置１４ｂ、第３基地局装置１４ｃ、第４基地局装置１４ｄが端末装置１６から発呼情報を受信し、品質スコアパケット信号をマルチキャスト配信している。しかしながら、第１基地局装置１４ａから配信された品質スコアパケット信号が第４基地局装置１４ｄで受信されていない。その際、第４基地局装置１４ｄ以外の３つの基地局装置１４の品質スコア受信バッファ部４４には、第１基地局装置１４ａ、第２基地局装置１４ｂ、第３基地局装置１４ｃ、第４基地局装置１４ｄからの品質スコアパケット信号が含まれている。一方、第４基地局装置１４ｄの品質スコア受信バッファ部４４には、第１基地局装置１４ａからの品質スコアパケット信号が含まれていない。
【００６０】
このような状況における第１基地局装置１４ａ、第４基地局装置１４ｄの品質スコア受信バッファ部４４の一例が図１６（ａ）−（ｂ）のように示される。図１６（ａ）−（ｂ）は、品質スコア受信バッファ部４４に記憶されるデータのデータ構造を示す。図１６（ａ）は、第１基地局装置１４ａの品質スコア受信バッファ部４４に対応し、図１６（ｂ）は、第４基地局装置１４ｄの品質スコア受信バッファ部４４に対応する。図１６において、第１基地局装置１４ａのＩＰアドレスは「１７２．１６．０．１」、第４基地局装置１４ｄの基地局装置ＩＰアドレスは「１７２．１６．０．４」である。前述の図１１のフローチャートの処理において、第１基地局装置１４ａでは品質スコア９０であるＮｏ．０１の品質スコアパケット信号が第１品質情報となり、Ｎｏ．０３の品質スコアパケット信号が第２品質情報となる。この場合、第１品質情報の方が高いため、第１基地局装置１４ａからは第１品質情報（Ｎｏ．０１の品質スコアパケット信号）に対応する発呼情報データを含む発呼情報パケット信号が他の基地局装置１４に送信される。一方、第４基地局装置１４ｄでは品質スコア７５であるＮｏ．０２の品質スコアパケット信号が第１品質情報となり、Ｎｏ．０１の品質スコアパケット信号が第２品質情報となる。第４基地局装置１４ｄにおいても、第１品質情報の方が高いため、第１品質情報（Ｎｏ．０２の品質スコアパケット信号）に対応する発呼情報データを含む発呼情報パケット信号が他の基地局装置１４に送信される。
【００６１】
その結果、同一の発呼情報が２つの基地局装置１４から配信されるので、発呼情報パケット信号を受信した各基地局装置１４はどちらを送信してよいのか解らない。このため、どちらも送信されない、あるいは同じ発呼情報が２回送信されてしまう、といった問題が発生する可能性がある。２つの基地局装置１４が同一の発呼情報を送信した場合、各々の基地局装置１４は最初に受信したデータのみ無線送信部４８から送信する方法も考えられるが、処理が複雑になったり、基地局装置１４間で異なるデータを送信することにより電波干渉が発生したりするおそれもある。
【００６２】
図１７は、通信システム１００の構成を示す。通信システム１００は、図４の構成に制御装置１２が追加される。制御装置１２は、基地局決定装置とも称される。図１８は、制御装置１２の構成を示す。制御装置１２は、検出部５８、通信部６２、品質スコア受信バッファ部６４、制御部６０を含む。検出部５８は、基地局装置１４における検出部３８と同様な動作を行う。制御装置１２は、ＩＰネットワーク１０を介して複数の基地局装置１４に接続される。複数の基地局装置１４は、端末装置１６からの発呼情報を受信すると、品質スコアパケット信号を制御装置１２へ送信する。複数の基地局装置１４のうちの１つにおけるＩＰアドレス設定部３６に記憶されるデータのデータ構造は、図１９のように示される。図６における品質スコアパケット信号の送信、受信を行うためのマルチキャストアドレスとポート番号の代わりに、制御装置１２のＩＰアドレスが記憶される。制御装置１２のＩＰアドレスは、品質スコアパケット信号の宛先として設定される。
【００６３】
図２０は、通信システム１００における制御装置１２へ品質スコアパケット信号が送信される様子を示す図である。複数の基地局装置１４は、図１９に示された制御装置１２のＩＰアドレスを設定することによって、ＴＣＰ（Ｔｒａｎｓｍｉｓｓｉｏｎ  Ｃｏｎｔｒｏｌ  Ｐｒｏｔｏｃｏｌ）を使用して、品質スコアパケット信号を制御装置１２に送信する。このように、制御装置１２への接続にはトランスポートプロトコルとしてＴＣＰが使用される。ＴＣＰはコネクション型プロトコルであるので、基地局装置１４が送信した品質スコアパケット信号が制御装置１２に確実に受信可能になる。
【００６４】
以下では、制御装置１２の処理を図２１のフローチャートを使用して説明する。図２１は、制御装置１２による処理手順を示すフローチャートである。前述のごとく、制御装置１２は品質スコア受信バッファ部６４を備え、Ｓ３００からＳ３４０までのステップを実行する。Ｓ３００からＳ３４０までの処理は、それぞれ図１１のＳ１００からＳ１４０までと同様である。ここで、制御装置１２の通信部６２は、複数の基地局装置１４のそれぞれから、各基地局装置１４を識別する識別情報（識別子）と、発呼情報受信時刻と、品質スコアとを取得する。識別子として、品質スコアパケット信号の送信を行った基地局装置１４のＩＰアドレスを用いてもよい。制御装置１２の品質スコア受信バッファ部６４には、基地局装置１４の品質スコア受信バッファ部４４と同様な形式でデータが記憶される。
【００６５】
制御装置１２の制御部６０は、Ｓ３５０において、発呼情報受信時刻が対応した品質スコアの中で、最も品質の高い（良い）品質スコアパケット信号を特定する。すなわち、同一の発呼情報の見なせる１つ以上の品質スコアパケット信号の中から、最も品質の高い品質スコアパケット信号を特定する。さらに制御部６０は、特定した品質スコアパケット信号を送信した基地局装置１４の識別子を取得する。ここで、最も品質の高い品質スコアパケット信号が複数存在する場合、所定のルールに基づいて、１つの識別子を選択して取得する。例えば、識別子としてＩＰアドレスを用い、ＩＰアドレスがより小さい番号を優先させて、１つのＩＰアドレスを取得すればよい。
【００６６】
次にＳ３６０において、通信部６２は、Ｓ３５０で取得された識別子をもつ基地局装置１４に対して発呼情報配信指示パケット信号を送信する。つまり、通信部６２は、特定した品質スコアに対応する識別子をもつ１つの基地局装置１４に対して、当該品質スコアに対応する発呼情報を送信するように指示を出力する。
【００６７】
図２２は、制御装置１２から送信される発呼情報配信指示パケット信号のデータ構造を示す。送信時刻は、パケット信号の発呼情報受信時刻から第３の所定時間が経過した時刻に設定する。この第３の所定時間は、ＩＰネットワーク１０の回線速度等により調整される。例えば、第３の所定時間として１５０ミリｓｅｃが使用される。なお、発呼情報配信指示パケット信号の送信についてもトランスポートプロトコルとしてＴＣＰが使用される。図２１に戻る。Ｓ４００の処理は、動作主体は異なるが、図１１のＳ２３０と同様であり、制御部６０が品質スコア受信バッファ部６４から不要な品質スコアパケット信号を削除する。例えば、受信してから一定期間（例えば１０分以上）が経過したパケット信号を削除すればよい。Ｓ４００から、Ｓ３００へ戻り、処理を繰り返す。
【００６８】
図１７において、制御装置１２から発呼情報配信指示パケット信号を受信した基地局装置１４は、発呼情報配信指示パケット信号を発呼情報配信指示パケット受信バッファ部（図示せず）へ保存する。基地局装置１４の制御部４０は、発呼情報配信指示パケット信号内の送信時刻と発呼情報受信時刻を取得する。制御部４０は、発呼情報受信バッファ部３２を参照し、発呼情報配信指示パケット信号内の発呼情報受信時刻と同時刻の発呼情報データを特定する。制御部４０は、発呼情報配信指示パケット信号内の送信時刻と、特定された発呼情報データとを通信部４２へ通知する。その後、制御部４０は発呼情報配信指示パケット受信バッファ部から送信した発呼情報配信指示パケット信号を削除する。
【００６９】
通信部４２は通知された送信時刻と発呼情報データを発呼情報パケット信号としてパケット化する（作成する）。発呼情報パケット信号の構成は図１２と同様である。通信部４２はＩＰアドレス設定部３６に記述されている発呼情報パケット送受信用マルチキャストアドレスへ、作成した発呼情報パケット信号を送信する。これに続く処理は、実施例１と同様であり、発呼情報パケット信号を発呼情報パケット送受信用マルチキャストアドレスで受信した各基地局装置１４は、指定された送信時刻に発呼情報を送信する。通信システム１００の運用については、実施例１の方式で運用した際にＩＰネットワーク１０にてＵＤＰ配信の問題が発生した場合、制御装置１２を別途追加して実施例２を使用する方式としてもよい。
【００７０】
上述の制御装置１２は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ハードウエアとソフトウエアの組合せによっていろいろな形で実現できることは、当業者には理解されるところである。また、複数のコンピュータを用いて、分散処理を行うプログラムとしても実現可能である。例えば、複数のコンピュータに、それぞれ異なる機能の処理を実行させ、複数のコンピュータで制御装置１２の機能を実現するように構成してもよい。
【００７１】
本実施例によれば、複数の基地局装置のそれぞれから受信した品質スコアをもとに、最も品質の高い品質情報を送信した基地局装置に対して、発呼情報パケット信号を送信するように指示するので、１台の基地局装置のみから発呼情報パケット信号を送信させることができる。また、１台の基地局装置のみから発呼情報パケット信号が送信されるので、ＩＰネットワーク上で送信、受信されるデータ量の多い発呼情報パケット信号の数を削減できる。また、発呼情報パケット信号の数が削減されるので、ＩＰネットワークのトラヒックの増大を抑制できる。すなわち、複数の基地局装置それぞれにおいて受信された複数の信号に基づいて処理を行う通信システムにおいて、ネットワークのトラヒックの増大を抑制できる。また、複数の基地局装置のそれぞれからＴＣＰにより品質スコアを受信するので、品質スコアの伝送を保証できる。また、通信の一部をＴＣＰにするので、品質スコアパケット信号が正常に受信できなくなる事態を回避できる。また、複数の基地局装置のそれぞれからの発呼情報受信時刻も取得し、取得した発呼情報受信時刻が対応した品質スコアの中で、最も品質の高い品質スコアを判定するので、同一の発呼情報に対する品質スコアを比較できる。
【００７２】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００７３】
実施例１、２においては、１種類の品質スコアを用いて比較処理を行っているが、複数種類の品質スコアを用いて比較処理を行ってもよい。例えば、品質スコアを計算する第１の方法〜第３の方法に従って、３種類の品質スコアを計算し、３種類の品質スコアに優先順位を付ける。この優先順位は、例えば、第１の方法（ＲＳＳＩを用いる方法）が最も高く、第２の方法（エラーに関する情報を用いる方法）が２番目に高く、第３の方法（発呼情報データを用いる方法）が最も低いように設定する。そして、基地局装置１４においてＳ１７０、Ｓ１８０の処理を行う際に、優先順位に従って、複数種類の品質スコアを比較する。最初に優先順位の最も高い第１の方法による品質スコアを比較し、自基地局装置１４の品質スコア（第１優先の第１品質情報）が、他の基地局装置１４の品質スコア（第１優先の第２品質情報）よりも高い場合は、比較処理を終了する。第１優先の第１品質情報と第１優先の第２品質情報が同じ値の場合は、優先順位が２番目の品質スコアを用いて、比較処理を行う。第２優先の第１品質情報が、第２優先の第２品質情報よりも高い場合は、比較処理を終了する。第２優先の第１品質情報が、第２優先の第２品質情報と同じ値の場合は、以下同様に、第３優先の品質スコアを用いて、比較処理を行う。制御装置１２においてＳ３５０の比較処理を行う際に、同様に複数種類の品質スコアを用いてもよい。
【００７４】
実施例１、２によれば、Ｓ１７０、Ｓ１８０、Ｓ３５０等における処理において、比較対象の複数の品質スコアが同じ値の場合、基地局装置１４を識別する情報を用いて、１つの品質スコアを選択しているが、他の方法を用いてもよい。例えば、過去の所定期間において、それぞれの基地局装置１４がＳ２２０の発呼情報パケット信号を送信した回数を集計する。このような集計情報は、それぞれの基地局装置１４で集計してもよいし、１つの基地局装置１４が集計し、その基地局装置１４が他の基地局装置１４に配信してもよい。そして、過去に発呼情報パケット信号を送信した回数に基づいて、複数の同じ値の品質スコアの中から、１つの品質スコアを選択する。例えば、過去に発呼情報パケット信号を送信した回数が多い基地局装置１４の品質スコアを優先的に選択する。あるいは逆に、過去に発呼情報パケット信号を送信した回数が少ない基地局装置１４の品質スコアを優先的に選択してもよい。
【００７５】
実施例１、２において、発呼情報パケット信号にさらに品質スコアを含めてもよい。図１５を用いて説明したように、実施例１において一時的なネットワーク障害等により、品質スコアパケット信号の未達が発生した場合、同一の発呼情報に対して複数の発呼情報パケット信号が送信される可能性がある。基地局装置１４が、送信時刻の差が所定値以内の複数の発呼情報パケット信号を受信した場合、それらに含まれる品質スコアを比較し、最も品質の高い発呼情報パケット信号を１つ特定し、それに対応する発呼情報のみを無線送信することにより、電波干渉が発生する可能性を低減できる。
【００７６】
実施例１、２によれば、通信システム１００として、業務用無線システムが使用されている。しかしながらこれに限らず例えば、業務用無線システム以外の携帯電話等の無線通信システムが使用されてもよい。本変形例によれば、システムの自由度を向上できる。
【００７７】
実施例１、２においては、通信システム１００において音声通信がなされ、発呼情報には音声データが含まれている。しかしながら音声通信に限らず、テキストデータ、画像データ、映像データ、その他の種別のデータを交換するデータ通信を行う通信システムであってもよい。
【００７８】
実施例１、２においては、ＩＰネットワーク１０を用いる通信システムを例にして説明している。しかしながらこれに限らず例えば、ＩＰネットワーク１０に限らず、他のプロトコルを用いるネットワークを用いてもよい。本変形例によれば、システムの自由度を向上できる。
【００７９】
実施例１において、基地局装置１４は品質スコアパケット信号および発呼情報パケット信号をマルチキャスト配信しているが、これに限らず、他の基地局装置１４それぞれに対してユニキャスト配信してもよい。この際に、自基地局装置１４の品質スコアは、自基地局装置１４宛てには送信せず、品質スコア受信バッファ部４４とは異なる記憶領域に記憶しておけばよい。本変形例によれば、システムの自由度を向上できる。
【００８０】
本実施例１、２において、各基地局装置１４において受信した発呼情報が比較対象であるかを判定するための識別情報として発呼情報受信時刻を使用している。しかしながらこれに限らず例えば、発呼情報の送信時刻あるいはシーケンス番号が使用されてもよい。その際、端末装置１６は、送信時刻あるいはシーケンス番号を発呼情報に含める。本変形例によれば、システムの自由度を向上できる。
【符号の説明】
【００８１】
１０  ＩＰネットワーク、  １２  制御装置、１４  基地局装置、  １６  端末装置、  ２０  同期制御用基準装置、  ３０  無線受信部、  ３２  発呼情報受信バッファ部、  ３４  品質スコア計算部、  ３６  ＩＰアドレス設定部、  ３８  検出部、  ４０  制御部、  ４２  通信部、  ４４  品質スコア受信バッファ部、  ４６  発呼情報送信バッファ部、  ４８  無線送信部、  ５８  検出部、  ６０  制御部、  ６２  通信部、  ６４  品質スコア受信バッファ部、  １００  通信システム。
【図１】
2019134264.tif 000003
【図２】
2019134264.tif 000004
【図３】
2019134264.tif 000005
【図４】
2019134264.tif 000006
【図５】
2019134264.tif 000007
【図６】
2019134264.tif 000008
【図７】
2019134264.tif 000009
【図８】
2019134264.tif 000010
【図９】
2019134264.tif 000011
【図１０】
2019134264.tif 000012
【図１１】
2019134264.tif 000013
【図１２】
2019134264.tif 000014
【図１３】
2019134264.tif 000015
【図１４】
2019134264.tif 000016
【図１５】
2019134264.tif 000017
【図１６】
2019134264.tif 000018
【図１７】
2019134264.tif 000019
【図１８】
2019134264.tif 000020
【図１９】
2019134264.tif 000021
【図２０】
2019134264.tif 000022
【図２１】
2019134264.tif 000023
【図２２】
2019134264.tif 000024